(57)【要約】  本出願は真空瓶組立品（１）に関する。真空瓶組立品（１）は押しボタン蓋（５）を備える真空瓶（２）を含む。押しボタン蓋（５）は開放状態と閉塞状態との間で移動可能であり、蓋（５）がその開放状態にあるとき、蓋（５）の封止アクチュエータ（１５）が上昇させられ、蓋（５）がその閉塞状態にあるとき、蓋の封止アクチュエータが後退させられる。真空瓶組立品（１）は、蓋（５）の上に配置可能であり且つ真空瓶（２）に対して取り付け可能である入れ物部分（２１）を更に含む。蓋（５）がその開放状態にあるとき、入れ物部分（２１）は、蓋（５）がその開放状態からその閉塞状態に推進されるよう、入れ物部分（２１）が真空瓶（２）に取り付けられるときに封止アクチュエータ（１５）に対して作用するように構成される。本出願は真空瓶（２）用の入れ物（３）及び哺乳瓶キットにも関する。
2015521516.tif 000002
【特許請求の範囲】
【請求項１】
押しボタン蓋を備える真空瓶を含む、
真空瓶組立品であって、
前記押しボタン蓋は、開放状態と閉塞状態との間で移動可能であり、前記蓋がその開放状態にあるとき、前記蓋の封止アクチュエータが上昇させられ、前記蓋がその閉塞状態にあるとき、前記蓋の封止アクチュエータが後退させられ、
当該真空瓶組立品は、前記蓋を覆って配置可能であり且つ前記真空瓶に対して取り付け可能である入れ物キャップを更に含み、
前記蓋がその開放状態にあるとき、前記入れ物キャップは、前記蓋がその開放状態からその閉塞状態に移動するよう推進されるように、前記封止アクチュエータに対して作用するように構成される、
真空瓶組立品。
【請求項２】
前記入れ物キャップが前記真空瓶に移動させられるとき、前記蓋はその開放状態からその閉塞状態に移動するよう推進される、請求項１に記載の真空瓶組立品。
【請求項３】
前記入れ物キャップは、前記入れ物キャップが前記真空瓶に取り付けられるときに前記封止アクチュエータに対して作用するように構成される付勢表面を含む、請求項２に記載の真空瓶組立品。
【請求項４】
前記付勢表面は、前記入れ物キャップの内表面にある、請求項３に記載の真空瓶組立品。
【請求項５】
入れ物ベースを更に含み、前記入れ物キャップは、前記入れ物ベースに取り付く、請求項１乃至４のうちのいずれか１項に記載の真空瓶組立品。
【請求項６】
前記入れ物ベースは、前記蓋に対する前記真空瓶の反対端に配置され、前記入れ物キャップは、前記入れ物ベースに取り付くよう前記真空瓶を覆って延びる、請求項５に記載の真空瓶組立品。
【請求項７】
前記入れ物ベースは、前記真空瓶から分離可能である、請求項６に記載の真空瓶組立品。
【請求項８】
前記入れ物ベースは、前記真空瓶に取り付け可能である、請求項７に記載の真空瓶組立品。
【請求項９】
前記入れ物キャップは、実質的に前記真空瓶に沿って延在するように構成される、請求項１乃至８のうちのいずれか１項に記載の真空瓶組立品。
【請求項１０】
前記入れ物キャップは、前記入れ物キャップが取付け位置に達する前に前記封止アクチュエータに対して作用するように構成される、請求項１乃至９のうちのいずれか１項に記載の真空瓶組立品。
【請求項１１】
前記入れ物キャップは、哺乳瓶を受け入れるように構成される、請求項１乃至１０のうちのいずれか１項に記載の真空瓶組立品。
【請求項１２】
前記入れ物は、入れ物ベースを更に含み、該入れ物ベースは及び前記入れ物キャップは、真空瓶を取り囲むよう互いに対して取り付け可能であり、
前記入れ物ベース部分及び前記入れ物キャップ部分が真空瓶を取り囲むよう互いに対して取り付けられるとき、前記蓋はその開放状態からその閉塞状態に移動するよう推進される、
請求項１に記載の真空瓶組立品。
【請求項１３】
前記入れ物ベースは、前記蓋に対する真空瓶の反対端に対して位置するように構成され、前記入れ物キャップは、前記蓋と前記真空瓶の容器の少なくとも部分とを受け入れるように構成されるキャップである、請求項１２に記載の真空瓶組立品。
【請求項１４】
前記入れ物キャップは、前記入れ物ベースに乗るよう前記真空瓶の前記容器に沿って延在する、請求項１３に記載の真空瓶組立品。
【請求項１５】
真空瓶が前記入れ物キャップ内に受け入れられないとき、前記入れ物キャップは哺乳瓶を受け入れるように構成される、請求項１３又は１４に記載の真空瓶組立品。
【発明の詳細な説明】
【技術分野】
【０００１】
本出願は真空瓶組立品に関する。本出願は真空瓶のための入れ物及び哺乳瓶キットにも関する。
【背景技術】
【０００２】
乳児及び小さい幼児がいるならば、圧搾乳又は調合乳のような乳或いは他の液体を室温よりも上の所定の温度で提供することが必要である。そのような乳は乳児に与えられる前に哺乳瓶又は類似物内で加熱されるのが一般的である。哺乳瓶の内容物を家で加熱することは比較的簡単であるが、他の状況において哺乳瓶の内容物を加熱する施設を見出すことは困難であり得る。
【０００３】
哺乳瓶の内容物を準備する１つの方法は、液体を収容する哺乳瓶の少なくとも一部を熱湯中に浸漬することである。従って、サーモス（ＴＭ）としても既知の真空瓶中で熱湯を輸送することが知られている。真空瓶は、瓶内に収容される水又は他の液体を持続時間期間に亘って周囲温度よりも上の温度に維持し得る。次に、所望のときに哺乳瓶の内容物を加熱するために、哺乳瓶が配置される入れ物内にこの水を注ぎ込み得る。
【０００４】
真空瓶は一般的には蓋を有し、蓋は液体が瓶内に注ぎ込まれるのを可能にするよう取り外し可能であり、瓶から液体が注がれるのを可能にするよう開放可能である。しかしながら、使用後に真空瓶を閉塞されることが容易に忘れられることが認識されている。蓋が封止されたか或いは開封されたかを直ちに認識することは困難であり得るので、これは真空瓶が蓋を外すことを必要とせずに開閉可能であるときに深刻である。乳児が泣いているとき或いは多数の品目が詰め込まれなければならないとき、高温液体を収容する瓶を安全に貯蔵することに平静を保ち且つ集中するのは容易でない。使用者は流体通路を閉じるのを忘れ、品目の濡れ及び火傷を引き起こす液体の望ましくない流出を招き得る。
【発明の概要】
【発明が解決しようとする課題】
【０００５】
とりわけ上述の問題を実質的に軽減させ或いは克服する、真空瓶組立品、真空瓶のための入れ物、及び／又は哺乳瓶キットを提供するのが、本発明の目的である。
【課題を解決するための手段】
【０００６】
本発明によれば、押しボタン蓋を備える真空瓶を含む真空瓶組立品が提供され、押しボタン蓋は開放状態と閉塞状態との間で移動可能であり、蓋がその開放状態にあるとき、蓋の封止アクチュエータが上昇させられ、蓋がその閉塞状態にあるとき、蓋の封止アクチュエータが後退させられ、真空瓶組立品は、蓋の上に配置可能であり且つ真空瓶に対して取り付け可能である入れ物部分を更に含み、蓋がその開放状態にあるとき、入れ物部分は、蓋がその開放状態からその閉塞状態に移動するよう推進されるように、入れ物部分が真空瓶に取り付けられるときに封止アクチュエータに対して作用するように構成される。
【０００７】
上の構成は、入れ物部分が真空瓶に取り付けられるときに蓋が必然的にその閉塞位置に移動させられることを意味する。これは、真空瓶組立品が組み立てられるときに蓋が偶発的に開放状態のままにされないことを保証する。従って、真空瓶組立品が組み立てられるときに高温液体が瓶から流出することが防止され、よって、本質的に安全な設計をもたらす。
【０００８】
入れ物部分は、入れ物部分が真空瓶に取り付けられるときに封止アクチュエータに対して作用するように構成される付勢表面を含み得る。付勢表面は、入れ物部分の内表面であり得る。
【０００９】
これは封止アクチュエータをその収縮位置（後退位置）に推進させるための簡単な構成をもたらす。
【００１０】
真空瓶組立品はベースを更に含み得る。入れ物部分はベースに乗る（ベースに取り付く）。
【００１１】
ベースを蓋に対する真空瓶の反対端に配置し得る。入れ物部分はベースに乗る（ベースに取り付く）よう真空瓶を覆って延在し得る。
【００１２】
従って、入れ物部分が真空瓶から取り外されるとき、蓋は高温液体を収容するための入れ物部分として作用することが可能である。
【００１３】
ベースは真空瓶から分離可能であり得る。
【００１４】
これは個別の使用のために真空瓶を取り外し得ることを意味し、容易な洗浄を可能にする。更に、製造の容易さも最大限化される。
【００１５】
ベースは真空瓶に取り付け可能であり得る。
【００１６】
真空瓶は容器を更に含み得る。ベースは容器の端を受け入れるように構成され得る。
【００１７】
入れ物部分は、実質的に真空瓶に沿って延在するように構成され得る。
【００１８】
入れ物部分は、入れ物部分が取付け位置に達する前に封止アクチュエータに対して作用するように構成され得る。
【００１９】
従って、入れ物部分が完全にその取付位置にないとしても、蓋は閉塞状態に推進される。この構成を用いるならば、熱湯が瓶から流出するのを防止するために入れ物が完全に閉塞されることは不要であるので、入れ物及び真空瓶の安全性が強化される。
【００２０】
入れ物部分は、哺乳瓶を受け入れるように構成され得る。
【００２１】
従って、哺乳瓶の内容物を加熱するために真空瓶から注がれる高温液体と共に入れ物部分内の哺乳瓶を受け入れることが可能である。本発明の他の特徴によれば、容器と押しボタン蓋とを備える真空瓶を受け入れるための入れ物が提供され、押しボタン蓋は開放状態と閉塞状態との間で移動可能であり、蓋がその開放状態にあるとき、蓋の封止アクチュエータが上昇させられ、蓋がその閉塞状態にあるとき、蓋の封止アクチュエータが収縮（後退）させられ、入れ物は、真空瓶を取り囲むために互いに対して取り付け可能な第１の入れ物部分と第２の入れ物部分とを含む。第１の入れ物部分は、真空瓶の容器に対して位置するように構成され、第２の入れ物部分は、蓋がその開放状態にあり且つ第１及び第２の入れ物部分が互いに対して取り付けられるとき、封止アクチュエータに対して作用するように構成されるので、蓋はその開放状態からその閉塞状態に移動するよう推進される。
【００２２】
これは、真空瓶が入れ物によって取り囲まれるときに蓋が必然的にその閉塞位置に移動させられることを意味する。これは、真空瓶組立品が組み立てられるときに真空瓶の蓋が偶発的に開放状態のままにされないことを保証する。従って、真空瓶が組み立てられるとき、高温液体が真空瓶から流出することが防止され、よって、本質的に安全な設計をもたらす。更に、洗浄の容易さのために入れ物を真空瓶から取り外すことが可能である。第１の入れ物部分は、蓋に対する真空瓶の反対端に対して位置するように構成されるベースであり得る。第２の入れ物部分は、蓋と真空瓶の容器の少なくとも部分とを受け入れるように構成されるキャップであり得る。
【００２３】
キャップは、ベースに乗る（ベースに取り付く）よう真空瓶の容器に沿って延在するように構成され得る。
【００２４】
従って、入れ物部分が真空瓶から取り外されるとき、蓋は高温液体を収容するための入れ物部分として作用することが可能である。
【００２５】
真空瓶がキャップ内に受け入れられないとき、キャップは哺乳瓶を受け入れるように構成され得る。
【００２６】
従って、哺乳瓶の内容物を加熱するために、真空瓶から注がれる高温液体と共にキャップ内に哺乳瓶を受け入れることが可能である。
【００２７】
第１の入れ物部分を第２の入れ物部分と螺合させ得る。
【００２８】
従って、第１の入れ物部分は第２の入れ物部分に容易に取り付けられる。
【００２９】
本発明の他の特徴によれば、請求項１１乃至１４のうちのいずれかに１項に従った入れ物又は請求項１乃至１０のうちのいずれかに１項に従った真空瓶と、哺乳瓶とを含む、哺乳瓶キットが提供され、入れ物部分は哺乳瓶を受け入れるように構成される。
【００３０】
本発明のこれらの及び他の特徴は以下に記載する実施態様を参照して明らかになり或いは解明されるであろう。
【００３１】
次に、添付の図面を参照して、本発明の実施態様を一例によって記載する。
【図面の簡単な説明】
【００３２】
【図１】真空瓶組立品を示す斜視図であり、真空瓶及び入れ物を部分的に取り外された状態で示している。
【図２】図１の真空瓶を示す斜視図であり、蓋は開放状態にある。
【図３】図１の真空瓶の蓋を示す側面図であり、蓋は開放状態にある。
【図４】図１の真空瓶の蓋を示す斜視図であり、蓋は閉塞状態にある。
【図５】図１の真空瓶の蓋を示す側面図であり、蓋は閉塞状態にある。
【図６】図１の真空瓶組立品を示す側面図であり、入れ物のキャップを断面で示し、入れ物のキャップは真空瓶を覆って部分的に受け入れられた状態にある。
【図７】図１の真空瓶組立品を示す側面図であり、キャップを断面で示し、キャップは真空瓶を覆って受け入れられた状態にある。
【図８】図１の真空瓶組立品を組立状態において示す側面図であり、キャップを取付位置において断面で示している。
【図９】図１の真空瓶組立品を組立状態において示す斜視図である。
【発明を実施するための形態】
【００３３】
図１は、真空瓶組立品１（真空瓶アセンブリ）を部分的に取り外された状態において示している。真空瓶組立品１は、真空瓶２と、入れ物３(container)とを含む。入れ物３は、真空瓶２をその内側に受け入れるように構成される。
【００３４】
サーモス（ＴＭ）又はデュワー瓶としても既知の真空瓶２は、液体を貯蔵するための絶縁された容器(vessel)である。真空瓶２は、伝導又は対流のような熱移転を制限する近真空を創り出すよう空気が部分的に排気された間隙によって互いに離間する２つの層（図示せず）を有する。真空瓶２はその内部に収容される液体を周囲温度よりも高い温度に維持するように構成される。真空瓶２内に収容される液体を周囲温度よりも低い温度に維持するためにも真空瓶２を用い得ることも理解されよう。本構成において、真空瓶２は哺乳瓶の内容物を加熱することにおける使用のために熱湯を保持することを意図する。
【００３５】
図２乃至５を参照すると、真空瓶２は貯蔵容器４(storage  vessel)と蓋５とを含む。貯蔵容器４は細長く、頂端６及び底端７を備える。貯蔵容器４は円筒形であり、それらの周りに延在する側壁８を備える。底面９は底端７に形成される。底面９は凹み得るが、底面９が平坦な表面（図示せず）に配置されるときに真空瓶２がその上で直立する平面を定める。側壁８と底面９との間の縁は面取りされる。
【００３６】
ネック（図示せず）が貯蔵容器４の頂端６に形成される。蓋５を貯蔵容器４に螺合させるために、ネックは円筒形の外面（図示せず）に形成されるネジ山を有する。ネックは開口（図示せず）も形成し、液体は開口を通じて貯蔵容器４に注ぎ込まれ或いは開口を通じて貯蔵容器４から注ぎ出される。
【００３７】
蓋５は貯蔵容器４のネックと係合する。蓋５は貯蔵容器４の開口（図示せず）の上に延在して、貯蔵容器４への液体の流入及び貯蔵容器４からの液体の流出を制御する。液体が貯蔵容器４内に容易に注ぎ込まれるのを可能にするよう、蓋５は貯蔵容器４から分離可能である。液体が貯蔵容器４内に注ぎ込まれるや否や、蓋５は開口の上で貯蔵容器４に取り付けられる。開口の舌部と蓋５との間にシールが形成される。蓋５は貯蔵容器４の頂端６に取り付けられ且つ貯蔵容器４の頂端６から延びる。即ち、蓋５は真空瓶２の頂端を定める。
【００３８】
貯蔵容器４の底端７にネジ山１０が形成される。ネジ山１０は底面９に近接して貯蔵容器４の側壁８の周りに延在する。
【００３９】
蓋５は上面１２を有する。蓋５は実質的に円筒形の側面１３も有する。蓋５の上面１２は真空瓶２の頂平面を定める。真空瓶２が組み立てられるとき、蓋５の上面１２は貯蔵容器４の底面９と平行に延びるが、貯蔵容器４の底面９から離間する。
【００４０】
真空瓶２の高さは、貯蔵容器４及び蓋５が組み立てられたときの、即ち、蓋５が貯蔵容器４に取り付けられたときの、貯蔵容器４及び蓋５の組合わせ高さによって定められる。換言すれば、真空瓶２の高さは、真空瓶２が組み立てられたときの貯蔵容器４の底面９の平面と蓋５の上面１２の平面との間の距離によって定められる。
【００４１】
蓋５は液体流制御ユニットとして作用する弁（図示せず）を有する。弁は蓋５を通じる液体の流れを可能にする。蓋５内の弁は蓋５によって形成される流体流路（図示せず）を通じる液体の流れを制御する。蓋５が貯蔵容器４に取り付けられるとき、流体流路は貯蔵容器４の内側を貯蔵容器４の外側と連絡する。
【００４２】
弁は蓋を閉塞状態及び開放状態から変え、それにより、真空瓶２の内側から真空瓶２の外側への流体流路を開閉するよう動作可能である。蓋５が閉塞状態にあるときには、流体流路を通じる液体の流れを阻止するよう、弁は封止される。換言すれば、液体は蓋５を通じて流れることが阻止される。蓋５が開放状態にあるときには、流体流路を通じる液体の流れを可能にするよう、弁は開封される。換言すれば、液体は蓋５を通じて流れることが可能にされる。
【００４３】
液体が蓋５を通じて流れることを阻止するよう、封止アクチュエータとして作用する封止押しボタン１５が弁を封止する。換言すれば、封止押しボタン１５は蓋５をその開放状態からその閉塞状態に作動させる。液体が蓋５を通じて流れ得るよう、開封アクチュエータとして作用する開封押しボタン１６が弁を開封する。換言すれば、開封押しボタン１６は蓋５をその閉塞状態からその開放状態に移動させる。
【００４４】
図２及び図３において、蓋５はその開放状態において示されている。この開放状態において、封止押しボタン１５は、蓋５の上面１２から突出している。換言すれば、封止押しボタン１５の上方表面１７は、蓋５の上面１２から離間している。蓋５がその開放状態にあるとき、開封押しボタン１６は、蓋５の上面１２と平行に延び、或いは蓋５の上面１２から凹まされる。換言すれば、開封押しボタン１６の上方表面１８は、蓋５の上面１２と平行に延び、或いは蓋５の上面１２から凹まされる。この構成を用いるならば、封止押しボタン１５の上方表面１７は、開封押しボタン１６の上方表面１８よりも蓋５から更に突出する。
【００４５】
図４及び図５において、蓋５はその閉塞状態において示されている。この閉塞状態において、封止押しボタン１５は、蓋５の上面１２と平行に延び、或いは蓋５の上面１２から凹まされる。換言すれば、封止押しボタン１５の上方表面１７は、蓋５の上面１２と平行であるか、或いは蓋５の上面１２から凹まされる。蓋５がその閉塞状態にあるとき、開封押しボタン１６は、蓋５の上面１２と平行に延び、或いは蓋５の上面１２から凹まされる。換言すれば、開封押しボタン１６の上方表面１８は、蓋５の上面１２と平行に延び、或いは蓋５の上面１２から凹まされる。
【００４６】
蓋５がその閉塞状態にあるときよりも蓋５がその開放状態にあるときに、封止押しボタン１５は蓋５から更に突出する。封止押しボタン１５の上方表面１７と蓋５の上面１２との間の距離は、蓋５がその閉塞状態にあるときに比べて蓋５がその開放状態にあるときにより大きい。
【００４７】
弁を作動させて蓋５をその開放状態からその閉塞状態に移動させるよう、封止押しボタン１５が押し込まれる。
【００４８】
弁を作動させて蓋５をその閉塞状態からその開放状態に移動させるよう、開封押しボタン１６が押し込まれる。弁を作動させて蓋５をその閉塞状態からその開放状態に移動させるとき、封止押しボタン１５は外向きに移動するよう推進され、蓋５から伸展する。蓋５がその閉塞状態にあるとき、封止押しボタン１５は収縮位置（後退位置）にある。蓋５がその開放位置にあるとき、封止押しボタン１５は突出位置にある。
【００４９】
本実施態様において、開封押しボタン１６は蓋５の上面１２の中央に形成されている。封止押しボタン１５は開封押しボタン１６の周りに延在している。しかしながら、封止及び開封押しボタン１５，１６の配置は異なり得ることが理解されるであろう。
【００５０】
上記配置では、蓋を閉塞位置から開放位置に移動させるために、換言すれば、液体が蓋を通じて流れ得るよう蓋を開封するために、そして、蓋を開放位置から閉塞位置に移動させるために、換言すれば、液体が蓋を通じて流れるのを阻止するよう蓋を封止するために、別個の押しボタンが用いられる。しかしながら、代替的な配置では、単一の押しボタン（図示せず）を用い得ることが理解されるであろう。そのような配置では、蓋がその開放状態にあるとき、押しボタンは突出位置にある。押しボタンが蓋の上面に向かって移動するよう推進させられるとき、蓋はその閉塞状態に移動する、換言すれば、押しボタンはより少ない程度で蓋の上面から突出する。
【００５１】
図６乃至９を参照すると、入れ物３は、ベース２０と、キャップ２１とを含む。ベース２０は、入れ物部分として作用する。キャップ２１は、他の入れ物部分として作用する。入れ物３は、入れ物収容室２２を定める。ベース２０及びキャップ２１は、入れ物収容室２２を定めるために接合されるように構成される。
【００５２】
本構成において、ベース２０は、カップ形状である。ベース２０は、ベース壁２３と、ベース側壁２４とを有する。ベース壁２４の外表面２５は平面的である。これは入れ物３がテーブルのような平面的な表面上で支持され且つそこから直立することを可能にする。ベース側壁２４はベース壁２３から直立し、ベース壁２３の周囲の周りに延在する。ベース側壁２４は上方縁２６を有する。
【００５３】
ベース２０は、入れ物収容室２２の第１の部分２７を定める。換言すれば、ベース２０は、真空瓶２の部分を受け入れるように構成される。本構成において、ベース２０は、貯蔵容器４の底端７を受け入れるように構成される。
【００５４】
ネジ山（図示せず）がベース側壁２４の内表面に形成される。ベース側壁２４の内表面にあるネジ山は、貯蔵容器４の底端７に形成されるネジ山１０と係合するように構成される。従って、ベース２０は真空瓶２に取付け可能である。本実施態様では、ベース２０は螺合を通じて真空瓶に取付け可能であるが、代替的な取付け手段を用い得ることが理解されるであろう。
【００５５】
肩部２８がベース側壁２３の周りに円周的に延在する。以下において明らかになるように、肩部２８は当接表面２９を定める。当接表面２９は肩部２８の上方表面であり、ベース側壁２４の上方縁２６と平行に延びるが、上方縁２６から離間する。
【００５６】
第１の係合要素として作用する螺旋ネジ山３０がベース２０に形成される。螺旋ネジ山３０はベース側壁２４の外表面に形成される。螺旋ネジ山３０は肩部２８の当接表面２９と上方縁２６との間に形成される。
【００５７】
ベース壁２３は内表面を有する。内表面は位置決め表面を形成し、貯蔵容器４の底端７がベース２０内に受け入れられるとき、貯蔵容器４の底面９は位置決め表面に対して位置する。代替的な構成において、位置決め表面は、ベース壁２３の内表面から直立する或いはベース側壁２４から内向きに延びる１つ又はそれよりも多くの位置決め要素によって形成される。
【００５８】
キャップ２１はカップ形状である。キャップ２１は、熱湯のような液体をその内側に収容し且つ保持するように構成される。キャップ２１は、上方壁３３と、キャップ側壁３４とを有する。キャップ上方壁３３の外表面３５は平面的である。これはキャップ２１がテーブルのような平面的な表面上に支持され且つそこから直立することを可能にする。キャップ側壁３４は、キャップ上方壁３３から直立し、キャップ側壁３４の周囲の周りに延在する。
【００５９】
キャップ２１は、入れ物収容室２２の第２の部分３６を定める。換言すれば、キャップ２１は、真空瓶２の部分を受け入れるように構成される。本構成において、キャップ２１は、貯蔵容器４の頂端６と蓋５とを受け入れるように構成される。
【００６０】
キャップ側壁３４は、その自由端に環３７(collar)を有する。環３７は、キャップ側壁３４の周りに円周的に延在する。環３７は、キャップ２１の縁３８を定める。環３７は、キャップ側壁３４に段部を形成する。換言すれば、環３６の直径は、キャップ側壁３４の残部の直径よりも大きい。
【００６１】
第２の係合要素として作用する螺旋ネジ山３９がキャップ２１に形成される。螺旋ネジ山３９は環３６の内表面に形成される。螺旋ネジ山３９はキャップ２１の縁３８と段部との間に形成される。
【００６２】
キャップ２１の上方壁３３は内表面を有する。内表面は付勢表面４０を形成し、貯蔵容器４の底端７がベース２０に受けいられるとき、封止押しボタンは付勢表面４０に対して位置する。代替的な構成において、付勢表面はキャップ２１の上方壁３３の内表面から直立する或いはキャップ側壁３４から内向きに延びる１つ又はそれよりも多くの付勢要素によって形成される。
【００６３】
キャップ２１はその内側に哺乳瓶を受け入れるように構成される。哺乳瓶の寸法は異なり得るが、典型的には特定の寸法内にあることが理解されるであろう。
【００６４】
入れ物３は耐熱プラスチックのような耐熱材料で形成される。水がキャップ２１内に注ぎ込まれるときにキャップ２１内の水の深さが容易に決定され得るよう、キャップ２１は半透明であり得る。
【００６５】
真空瓶組立品１を用いるために、熱湯のような高温液体をその中に注ぎ込み得るよう、蓋５が貯蔵容器４から取り外される。次に、蓋５は貯蔵容器４に取り付けられ、貯蔵容器４と蓋５との間にシールが形成される。蓋５がその閉塞状態にあるとき、真空瓶２は封止され、熱湯が真空瓶２から流出することが防止される。次に、真空瓶２はその中に収容される液体を周囲温度よりも高い温度に維持し得る。
【００６６】
入れ物３は初期的に真空瓶２と別個である。貯蔵容器４の底端７が入れ物３のベース２１内に挿入される。ベース２１は底端７を受け入れるように構成される。貯蔵容器４の底面９がベース壁２３の位置決め表面に対して位置するまで、貯蔵容器４は真空瓶２内に挿入される。これはベース２１を真空瓶２上に位置付け且つ位置決めるよう作用する。
【００６７】
ベース２２は、ベース側壁２４の内表面及び貯蔵容器４の外表面にあるネジ山の故に、真空瓶２の貯蔵容器４に取り付けられる。従って、ベース２１は、所望の位置において真空瓶２に固定的に取り付けられる。
【００６８】
次に、キャップ２１は真空瓶２の他端の上に受け入れられる。換言すれば、キャップ２１は貯蔵容器４の頂端６及び蓋５の上に受け入れられる。キャップ２１がベース２０と重なり合うよう、キャップ側壁３４は真空瓶２に沿って位置する。
【００６９】
キャップ２１の環３７は、ベース２０の上方縁２６の上に位置する。キャップ２１はベース２０に乗る（取り付く）。本構成を用いるならば、キャップ２１の螺旋ネジ山３９はベース２０の螺旋ネジ山３０と螺合する。キャップ２１がベース２０の肩部２９に当接するまで、キャップ２１はベース２０に向かって移動させられる。従って、肩部２９はエンドストッパとして作用する。この構成を用いるならば、キャップ２１の縁３８は肩部２９の当接表面２９に対して位置する。代替的に、環３７の段部がエンドストッパとして作用し得ることが理解されるであろう。
【００７０】
この段階で、キャップ２１はベース２０に取り付けられ、真空瓶２はそれらの間にある。従って、キャップ２１は、真空瓶収容室２２内に収容される真空瓶２の故に、真空瓶２に取り付けられる。貯蔵容器４の底面９は、ベース壁２３の位置決め表面に対して位置し、蓋５の上面１２はキャップ２１の付勢表面に対して或いはそれに近接して位置する。入れ物３が組み立てられるときのベース壁２３の位置決め表面とキャップ２１の付勢表面４０との間の距離は、貯蔵容器４の底面の平面と蓋５の上面１２の平面との間の真空瓶２の高さに対応する。
【００７１】
蓋５がその閉塞状態にあるとき、封止アクチュエータとして作用する封止押しボタン１５はその収縮位置（後退位置）にある。従って、蓋５がその閉塞状態にあるとき、キャップ２１はベース２０に取り付けられるので、蓋５の付勢表面４０は封止押しボタン１５に対して付勢されない。
【００７２】
真空瓶組立品を用いるために、キャップ２１がベース２０から降ろされ、真空瓶２から取り外される。次に、キャップ２１の上方壁３３がテーブルのような表面の上に位置付け可能であるよう、キャップ２１が反転させられる。次に、開封押しボタン１６が押圧されて蓋５をその開放状態に移動させる。次に、真空瓶２内の熱湯をキャップ２１内に注ぎ込み得る。次に、哺乳瓶キットの一部を形成する哺乳瓶（図示せず）が、哺乳瓶の内容物を所望の温度まで加熱する熱湯と共に、キャップ２１内に配置される。
【００７３】
哺乳瓶が所望の温度になるや否や、哺乳瓶はキャップ２１から取り外される。次に、キャップ２１内の水を廃棄し得る。これに続いて、キャップ２１を真空瓶２の上に再配置し得る。従って、キャップ２１は、上述のように、真空瓶２の上に受け入れられ、ベース２０に取り付けられる。
【００７４】
使用者が不注意に蓋５を閉め損なう事態において、即ち、使用者が封止押しボタン１５を押さないで蓋５をその閉塞状態に移動させる事態において、液体は依然として蓋を通じて流れることができ、キャップ２１が真空瓶２の上に受け入れられるとき、封止押しボタン１５はその伸展位置に留まる。しかしながら、キャップ２１がベース２０に取り付けられると、この構成では上方壁３３によって形成されるキャップ２１の付勢表面４０は、封止押しボタン１５の上方表面１７に当接する。従って、付勢表面４０は封止押しボタン１５に対して作用し、封止押しボタン１５をその収縮位置（後退位置）に移動させる。これは、キャップ２１が取り付けられるときに、蓋５が必然的にその開放状態からその閉塞状態に移動させられることを意味する。
【００７５】
容器２１が真空瓶２の上に組み立てられるとき、蓋５はその開放状態にあることが阻止される。従って、真空瓶組立品１は、真空瓶組立品１が組み立てられるときに液体が真空瓶から流出するのを防止する、本質的に安全な設計をもたらす。キャップ２１が引き続き取り外されるとき、蓋５は開封押しボタン１６が押圧されるまで閉塞状態に留まる。
【００７６】
上の実施態様において、ベース２０は真空瓶２に取り付け可能であるが、代替的な構成において、ベース２０は真空瓶２に取り付け可能でないことが理解されるであろう。
【００７７】
上記実施態様において、真空瓶組立品は、真空瓶を受け入れ且つ取り囲むように構成されるキャップとベースとを有する入れ物を含むが、代替的な構成が想起されることが理解されるであろう。代替的な構成において、真空瓶組立品は、キャップが真空瓶に直接的に取り付け可能である、真空瓶とキャップとを含み得る。そのような構成において、ベースは真空瓶の貯蔵容器と一体的に構成される。
【００７８】
上の実施態様において、ベース２０の上方端はキャップ２１の環内に受け入れられるが、代替的な構成が想起されることが理解されるであろう。例えば、代替的な構成において、環（図示せず）はベース２０に形成され、キャップの自由端は環によって受け入れられる。そのような構成において、ベース２０のネジ山付き部分は内表面に形成され、キャップ２１のネジ山付き部分は外表面に形成される。
【００７９】
上の実施態様において、ベース２０とキャップ２１との間の係合手段は２つの入れ物部分の間の螺合によって形成されるが、代替的な構成が想起されることが理解されるであろう。例えば、代替的な実施態様では、クリック係止(click-lock)構成が用いられ、１つ又はそれよりも多くの突起が他の入れ物部分に形成される凹部内に収容される入れ物部分のうちの１つの入れ物部分の表面から伸展する。代替的に、ベース２０及びキャップ２１を互いに対して取り付けるためにクラスプ（留め金）又はクリップを用い得る。
【００８０】
「含む」という用語は他の要素又はステップを排除しないこと並びに単数形は複数形を排除しないことが理解されるであろう。単一のプロセッサは請求項中に引用される幾つかの品目の機能を充足し得る。特定の手段が相互に異なる従属項において引用されているという単なる事実は、これらの手段の組合わせを有利に用い得ないことを示さない。請求項中に如何なる参照符号も請求項を限定するものと理解されてはならない。
【００８１】
この出願において請求項は機能の特定の組合わせに策定されているが、本発明の開示の範囲は、明示的であれ、暗示的であれ、或いはそれらの如何なる一般化であれ、それが任意の請求項において現時点で請求されるのと同じ発明に関係しようしまいが、それが本発明と同じ技術的課題の一部又は全部を軽減しようがしまいが、ここに開示する如何なる新規な機能又は新規な機能の如何なる組合わせをも含む。出願人は、本出願の或いは本出願に由来するあらゆる更なる出願の審査中に、そのような機能及び／又は機能の組み合わせに新たな請求項を策定し得ることを通知する。
【図１】
2015521516.tif 000003
【図２】
2015521516.tif 000004
【図３】
2015521516.tif 000005
【図４】
2015521516.tif 000006
【図５】
2015521516.tif 000007
【図６】
2015521516.tif 000008
【図７】
2015521516.tif 000009
【図８】
2015521516.tif 000010
【図９】
2015521516.tif 000011
【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
押しボタン蓋を備える真空瓶と、
前記蓋を覆って配置可能である入れ物キャップと、
前記蓋に対する前記真空瓶の反対端に配置される入れ物ベースとを含む、
真空瓶組立品であって、
前記押しボタン蓋は、前記蓋の封止アクチュエータが上昇させられる開放状態と前記封止アクチュエータが後退させられる閉塞状態との間で移動可能であり、
前記封止アクチュエータがその開放状態にあり且つ前記入れ物キャップが前記入れ物に取り付けられるとき、前記入れ物キャップは、前記封止アクチュエータに対して作用して前記入れ物キャップをその閉塞状態に移動させ、前記入れ物キャップは、前記入れ物ベースに取り付くよう前記真空瓶を覆って延びる、
真空瓶組立品。
【請求項２】
前記入れ物キャップは、前記入れ物キャップが前記真空瓶に取り付けられるときに前記封止アクチュエータに対して作用するように構成される付勢表面を含む、請求項１に記載の真空瓶組立品。
【請求項３】
前記付勢表面は、前記入れ物キャップの内表面にある、請求項２に記載の真空瓶組立品。
【請求項４】
前記入れ物ベースは、前記真空瓶から分離可能である、請求項１乃至３のうちのいずれかに１項に記載の真空瓶組立品。
【請求項５】
前記入れ物ベースは、前記真空瓶に取り付け可能である、請求項４に記載の真空瓶組立品。
【請求項６】
前記入れ物キャップは、実質的に前記真空瓶に沿って延在するように構成される、請求項１乃至５のうちのいずれか１項に記載の真空瓶組立品。
【請求項７】
前記入れ物キャップは、前記入れ物キャップが取付け位置に達する前に前記封止アクチュエータに対して作用するように構成される、請求項１乃至６のうちのいずれか１項に記載の真空瓶組立品。
【請求項８】
前記入れ物キャップは、哺乳瓶を受け入れるように構成される、請求項１乃至７のうちのいずれか１項に記載の真空瓶組立品。
【手続補正２】
【補正対象書類名】明細書
【補正対象項目名】全文
【補正方法】変更
【補正の内容】
【発明の詳細な説明】
【技術分野】
【０００１】
本出願は真空瓶組立品に関する。
【背景技術】
【０００２】
乳児及び小さい幼児がいるならば、圧搾乳又は調合乳のような乳或いは他の液体を室温よりも上の所定の温度で提供することが必要である。そのような乳は乳児に与えられる前に哺乳瓶又は類似物内で加熱されるのが一般的である。哺乳瓶の内容物を家で加熱することは比較的簡単であるが、他の状況において哺乳瓶の内容物を加熱する施設を見出すことは困難であり得る。
【０００３】
哺乳瓶の内容物を準備する１つの方法は、液体を収容する哺乳瓶の少なくとも一部を熱湯中に浸漬することである。従って、サーモス（ＴＭ）としても既知の真空瓶中で熱湯を輸送することが知られている。真空瓶は、瓶内に収容される水又は他の液体を持続時間期間に亘って周囲温度よりも上の温度に維持し得る。次に、所望のときに哺乳瓶の内容物を加熱するために、哺乳瓶が配置される入れ物内にこの水を注ぎ込み得る。
【０００４】
真空瓶は一般的には蓋を有し、蓋は液体が瓶内に注ぎ込まれるのを可能にするよう取り外し可能であり、瓶から液体が注がれるのを可能にするよう開放可能である。しかしながら、使用後に真空瓶を閉塞されることが容易に忘れられることが認識されている。蓋が封止されたか或いは開封されたかを直ちに認識することは困難であり得るので、これは真空瓶が蓋を外すことを必要とせずに開閉可能であるときに深刻である。乳児が泣いているとき或いは多数の品目が詰め込まれなければならないとき、高温液体を収容する瓶を安全に貯蔵することに平静を保ち且つ集中するのは容易でない。使用者は流体通路を閉じるのを忘れ、品目の濡れ及び火傷を引き起こす液体の望ましくない流出を招き得る。
【発明の概要】
【発明が解決しようとする課題】
【０００５】
とりわけ上述の問題を実質的に軽減させ或いは克服する真空瓶組立品を提供するのが本発明の目的である。
【課題を解決するための手段】
【０００６】
本発明によれば、押しボタン蓋を備える真空瓶と、蓋を覆って配置可能である入れ物キャップと、蓋に対する真空瓶の反対端に配置される入れ物ベースとを含む、真空瓶組立品が提供され、押しボタン蓋は、蓋の封止アクチュエータが上昇させられる開放状態と封止アクチュエータが後退させられる閉塞状態との間で移動可能であり、封止アクチュエータがその開放状態にあり且つ入れ物キャップが入れ物に取り付けられるとき、入れ物キャップは、封止アクチュエータに対して作用して入れ物キャップをその閉塞状態に移動させ、入れ物キャップは、入れ物ベースに取り付くよう真空瓶を覆って延びる。
【０００７】
上の構成は、入れ物部分が真空瓶に取り付けられるときに蓋が必然的にその閉塞位置に移動させられることを意味する。これは、真空瓶組立品が組み立てられるときに蓋が偶発的に開放状態のままにされないことを保証する。従って、真空瓶組立品が組み立てられるときに高温液体が瓶から流出することが防止され、よって、本質的に安全な設計をもたらす。
【０００８】
入れ物部分は、入れ物部分が真空瓶に取り付けられるときに封止アクチュエータに対して作用するように構成される付勢表面を含み得る。付勢表面は、入れ物部分の内表面であり得る。
【０００９】
これは封止アクチュエータをその収縮位置（後退位置）に推進させるための簡単な構成をもたらす。
【００１０】
入れ物キャップは、ベースに乗る（ベースに取り付く）よう真空瓶を覆って延在し得るので、キャップが真空瓶から取り外されるとき、キャップは高温液体を収容するための入れ物として作用することが可能である。
【００１１】
ベースは真空瓶から分離可能であり得る。
【００１２】
これは個別の使用のために真空瓶を取り外し得ることを意味し、容易な洗浄を可能にする。更に、製造の容易さも最大限化される。
【００１３】
ベースは真空瓶に取り付け可能であり得る。
【００１４】
真空瓶は容器を更に含み得る。ベースは容器の端を受け入れるように構成され得る。
【００１５】
入れ物部分は、実質的に真空瓶に沿って延在するように構成され得る。
【００１６】
入れ物部分は、入れ物部分が取付け位置に達する前に封止アクチュエータに対して作用するように構成され得る。
【００１７】
従って、入れ物部分が完全にその取付位置にないとしても、蓋は閉塞状態に推進される。この構成を用いるならば、熱湯が瓶から流出するのを防止するために入れ物が完全に閉塞されることは不要であるので、入れ物及び真空瓶の安全性が強化される。
【００１８】
入れ物部分は、哺乳瓶を受け入れるように構成され得る。
【００１９】
従って、哺乳瓶の内容物を加熱するために真空瓶から注がれる高温液体と共に入れ物部分内の哺乳瓶を受け入れることが可能である。
【００２０】
次に、添付の図面を参照して、本発明の実施態様を一例によって記載する。
【図面の簡単な説明】
【００２１】
【図１】真空瓶組立品を示す斜視図であり、真空瓶及び入れ物を部分的に取り外された状態で示している。
【図２】図１の真空瓶を示す斜視図であり、蓋は開放状態にある。
【図３】図１の真空瓶の蓋を示す側面図であり、蓋は開放状態にある。
【図４】図１の真空瓶の蓋を示す斜視図であり、蓋は閉塞状態にある。
【図５】図１の真空瓶の蓋を示す側面図であり、蓋は閉塞状態にある。
【図６】図１の真空瓶組立品を示す側面図であり、入れ物のキャップを断面で示し、入れ物のキャップは真空瓶の上に部分的に受け入れられた状態にある。
【図７】図１の真空瓶組立品を示す側面図であり、キャップを断面で示し、キャップは真空瓶の上に受け入れられた状態にある。
【図８】図１の真空瓶組立品を組立状態において示す側面図であり、キャップを取付位置において断面で示している。
【図９】図１の真空瓶組立品を組立状態において示す斜視図である。
【発明を実施するための形態】
【００２２】
図１は、真空瓶組立品１（真空瓶アセンブリ）を部分的に取り外された状態において示している。真空瓶組立品１は、真空瓶２と、入れ物３(container)とを含む。入れ物３は、真空瓶２をその内側に受け入れるように構成される。
【００２３】
サーモス（ＴＭ）又はデュワー瓶としても既知の真空瓶２は、液体を貯蔵するための絶縁された容器(vessel)である。真空瓶２は、伝導又は対流のような熱移転を制限する近真空を創り出すよう空気が部分的に排気された間隙によって互いに離間する２つの層（図示せず）を有する。真空瓶２はその内部に収容される液体を周囲温度よりも高い温度に維持するように構成される。真空瓶２内に収容される液体を周囲温度よりも低い温度に維持するためにも真空瓶２を用い得ることも理解されよう。本構成において、真空瓶２は哺乳瓶の内容物を加熱することにおける使用のために熱湯を保持することを意図する。
【００２４】
図２乃至５を参照すると、真空瓶２は貯蔵容器４(storage  vessel)と蓋５とを含む。貯蔵容器４は細長く、頂端６及び底端７を備える。貯蔵容器４は円筒形であり、それらの周りに延在する側壁８を備える。底面９は底端７に形成される。底面９は凹み得るが、底面９が平坦な表面（図示せず）に配置されるときに真空瓶２がその上で直立する平面を定める。側壁８と底面９との間の縁は面取りされる。
【００２５】
ネック（図示せず）が貯蔵容器４の頂端６に形成される。蓋５を貯蔵容器４に螺合させるために、ネックは円筒形の外面（図示せず）に形成されるネジ山を有する。ネックは開口（図示せず）も形成し、液体は開口を通じて貯蔵容器４に注ぎ込まれ或いは開口を通じて貯蔵容器４から注ぎ出される。
【００２６】
蓋５は貯蔵容器４のネックと係合する。蓋５は貯蔵容器４の開口（図示せず）の上に延在して、貯蔵容器４への液体の流入及び貯蔵容器４からの液体の流出を制御する。液体が貯蔵容器４内に容易に注ぎ込まれるのを可能にするよう、蓋５は貯蔵容器４から分離可能である。液体が貯蔵容器４内に注ぎ込まれるや否や、蓋５は開口の上で貯蔵容器４に取り付けられる。開口の舌部と蓋５との間にシールが形成される。蓋５は貯蔵容器４の頂端６に取り付けられ且つ貯蔵容器４の頂端６から延びる。即ち、蓋５は真空瓶２の頂端を定める。
【００２７】
貯蔵容器４の底端７にネジ山１０が形成される。ネジ山１０は底面９に近接して貯蔵容器４の側壁８の周りに延在する。
【００２８】
蓋５は上面１２を有する。蓋５は実質的に円筒形の側面１３も有する。蓋５の上面１２は真空瓶２の頂平面を定める。真空瓶２が組み立てられるとき、蓋５の上面１２は貯蔵容器４の底面９と平行に延びるが、貯蔵容器４の底面９から離間する。
【００２９】
真空瓶２の高さは、貯蔵容器４及び蓋５が組み立てられたときの、即ち、蓋５が貯蔵容器４に取り付けられたときの、貯蔵容器４及び蓋５の組合わせ高さによって定められる。換言すれば、真空瓶２の高さは、真空瓶２が組み立てられたときの貯蔵容器４の底面９の平面と蓋５の上面１２の平面との間の距離によって定められる。
【００３０】
蓋５は液体流制御ユニットとして作用する弁（図示せず）を有する。弁は蓋５を通じる液体の流れを可能にする。蓋５内の弁は蓋５によって形成される流体流路（図示せず）を通じる液体の流れを制御する。蓋５が貯蔵容器４に取り付けられるとき、流体流路は貯蔵容器４の内側を貯蔵容器４の外側と連絡する。
【００３１】
弁は蓋を閉塞状態及び開放状態から変え、それにより、真空瓶２の内側から真空瓶２の外側への流体流路を開閉するよう動作可能である。蓋５が閉塞状態にあるときには、流体流路を通じる液体の流れを阻止するよう、弁は封止される。換言すれば、液体は蓋５を通じて流れることが阻止される。蓋５が開放状態にあるときには、流体流路を通じる液体の流れを可能にするよう、弁は開封される。換言すれば、液体は蓋５を通じて流れることが可能にされる。
【００３２】
液体が蓋５を通じて流れることを阻止するよう、封止アクチュエータとして作用する封止押しボタン１５が弁を封止する。換言すれば、封止押しボタン１５は蓋５をその開放状態からその閉塞状態に作動させる。液体が蓋５を通じて流れ得るよう、開封アクチュエータとして作用する開封押しボタン１６が弁を開封する。換言すれば、開封押しボタン１６は蓋５をその閉塞状態からその開放状態に移動させる。
【００３３】
図２及び図３において、蓋５はその開放状態において示されている。この開放状態において、封止押しボタン１５は、蓋５の上面１２から突出している。換言すれば、封止押しボタン１５の上方表面１７は、蓋５の上面１２から離間している。蓋５がその開放状態にあるとき、開封押しボタン１６は、蓋５の上面１２と平行に延び、或いは蓋５の上面１２から凹まされる。換言すれば、開封押しボタン１６の上方表面１８は、蓋５の上面１２と平行に延び、或いは蓋５の上面１２から凹まされる。この構成を用いるならば、封止押しボタン１５の上方表面１７は、開封押しボタン１６の上方表面１８よりも蓋５から更に突出する。
【００３４】
図４及び図５において、蓋５はその閉塞状態において示されている。この閉塞状態において、封止押しボタン１５は、蓋５の上面１２と平行に延び、或いは蓋５の上面１２から凹まされる。換言すれば、封止押しボタン１５の上方表面１７は、蓋５の上面１２と平行であるか、或いは蓋５の上面１２から凹まされる。蓋５がその閉塞状態にあるとき、開封押しボタン１６は、蓋５の上面１２と平行に延び、或いは蓋５の上面１２から凹まされる。換言すれば、開封押しボタン１６の上方表面１８は、蓋５の上面１２と平行に延び、或いは蓋５の上面１２から凹まされる。
【００３５】
蓋５がその閉塞状態にあるときよりも蓋５がその開放状態にあるときに、封止押しボタン１５は蓋５から更に突出する。封止押しボタン１５の上方表面１７と蓋５の上面１２との間の距離は、蓋５がその閉塞状態にあるときに比べて蓋５がその開放状態にあるときにより大きい。
【００３６】
弁を作動させて蓋５をその開放状態からその閉塞状態に移動させるよう、封止押しボタン１５が押し込まれる。
【００３７】
弁を作動させて蓋５をその閉塞状態からその開放状態に移動させるよう、開封押しボタン１６が押し込まれる。弁を作動させて蓋５をその閉塞状態からその開放状態に移動させるとき、封止押しボタン１５は外向きに移動するよう推進され、蓋５から伸展する。蓋５がその閉塞状態にあるとき、封止押しボタン１５は収縮位置（後退位置）にある。蓋５がその開放位置にあるとき、封止押しボタン１５は突出位置にある。
【００３８】
本実施態様において、開封押しボタン１６は蓋５の上面１２の中央に形成されている。封止押しボタン１５は開封押しボタン１６の周りに延在している。しかしながら、封止及び開封押しボタン１５，１６の配置は異なり得ることが理解されるであろう。
【００３９】
上記配置では、蓋を閉塞位置から開放位置に移動させるために、換言すれば、液体が蓋を通じて流れ得るよう蓋を開封するために、そして、蓋を開放位置から閉塞位置に移動させるために、換言すれば、液体が蓋を通じて流れるのを阻止するよう蓋を封止するために、別個の押しボタンが用いられる。しかしながら、代替的な配置では、単一の押しボタン（図示せず）を用い得ることが理解されるであろう。そのような配置では、蓋がその開放状態にあるとき、押しボタンは突出位置にある。押しボタンが蓋の上面に向かって移動するよう推進させられるとき、蓋はその閉塞状態に移動する、換言すれば、押しボタンはより少ない程度で蓋の上面から突出する。
【００４０】
図６乃至９を参照すると、入れ物３は、ベース２０と、キャップ２１とを含む。ベース２０は、入れ物部分として作用する。キャップ２１は、他の入れ物部分として作用する。入れ物３は、入れ物収容室２２を定める。ベース２０及びキャップ２１は、入れ物収容室２２を定めるために接合されるように構成される。
【００４１】
本構成において、ベース２０は、カップ形状である。ベース２０は、ベース壁２３と、ベース側壁２４とを有する。ベース壁２４の外表面２５は平面的である。これは入れ物３がテーブルのような平面的な表面上で支持され且つそこから直立することを可能にする。ベース側壁２４はベース壁２３から直立し、ベース壁２３の周囲の周りに延在する。ベース側壁２４は上方縁２６を有する。
【００４２】
ベース２０は、入れ物収容室２２の第１の部分２７を定める。換言すれば、ベース２０は、真空瓶２の部分を受け入れるように構成される。本構成において、ベース２０は、貯蔵容器４の底端７を受け入れるように構成される。
【００４３】
ネジ山（図示せず）がベース側壁２４の内表面に形成される。ベース側壁２４の内表面にあるネジ山は、貯蔵容器４の底端７に形成されるネジ山１０と係合するように構成される。従って、ベース２０は真空瓶２に取付け可能である。本実施態様では、ベース２０は螺合を通じて真空瓶に取付け可能であるが、代替的な取付け手段を用い得ることが理解されるであろう。
【００４４】
肩部２８がベース側壁２３の周りに円周的に延在する。以下において明らかになるように、肩部２８は当接表面２９を定める。当接表面２９は肩部２８の上方表面であり、ベース側壁２４の上方縁２６と平行に延びるが、上方縁２６から離間する。
【００４５】
第１の係合要素として作用する螺旋ネジ山３０がベース２０に形成される。螺旋ネジ山３０はベース側壁２４の外表面に形成される。螺旋ネジ山３０は肩部２８の当接表面２９と上方縁２６との間に形成される。
【００４６】
ベース壁２３は内表面を有する。内表面は位置決め表面を形成し、貯蔵容器４の底端７がベース２０内に受け入れられるとき、貯蔵容器４の底面９は位置決め表面に対して位置する。代替的な構成において、位置決め表面は、ベース壁２３の内表面から直立する或いはベース側壁２４から内向きに延びる１つ又はそれよりも多くの位置決め要素によって形成される。
【００４７】
キャップ２１はカップ形状である。キャップ２１は、熱湯のような液体をその内側に収容し且つ保持するように構成される。キャップ２１は、上方壁３３と、キャップ側壁３４とを有する。キャップ上方壁３３の外表面３５は平面的である。これはキャップ２１がテーブルのような平面的な表面上に支持され且つそこから直立することを可能にする。キャップ側壁３４は、キャップ上方壁３３から直立し、キャップ側壁３４の周囲の周りに延在する。
【００４８】
キャップ２１は、入れ物収容室２２の第２の部分３６を定める。換言すれば、キャップ２１は、真空瓶２の部分を受け入れるように構成される。本構成において、キャップ２１は、貯蔵容器４の頂端６と蓋５とを受け入れるように構成される。
【００４９】
キャップ側壁３４は、その自由端に環３７(collar)を有する。環３７は、キャップ側壁３４の周りに円周的に延在する。環３７は、キャップ２１の縁３８を定める。環３７は、キャップ側壁３４に段部を形成する。換言すれば、環３６の直径は、キャップ側壁３４の残部の直径よりも大きい。
【００５０】
第２の係合要素として作用する螺旋ネジ山３９がキャップ２１に形成される。螺旋ネジ山３９は環３６の内表面に形成される。螺旋ネジ山３９はキャップ２１の縁３８と段部との間に形成される。
【００５１】
キャップ２１の上方壁３３は内表面を有する。内表面は付勢表面４０を形成し、貯蔵容器４の底端７がベース２０に受けいられるとき、封止押しボタンは付勢表面４０に対して位置する。代替的な構成において、付勢表面はキャップ２１の上方壁３３の内表面から直立する或いはキャップ側壁３４から内向きに延びる１つ又はそれよりも多くの付勢要素によって形成される。
【００５２】
キャップ２１はその内側に哺乳瓶を受け入れるように構成される。哺乳瓶の寸法は異なり得るが、典型的には特定の寸法内にあることが理解されるであろう。
【００５３】
入れ物３は耐熱プラスチックのような耐熱材料で形成される。水がキャップ２１内に注ぎ込まれるときにキャップ２１内の水の深さが容易に決定され得るよう、キャップ２１は半透明であり得る。
【００５４】
真空瓶組立品１を用いるために、熱湯のような高温液体をその中に注ぎ込み得るよう、蓋５が貯蔵容器４から取り外される。次に、蓋５は貯蔵容器４に取り付けられ、貯蔵容器４と蓋５との間にシールが形成される。蓋５がその閉塞状態にあるとき、真空瓶２は封止され、熱湯が真空瓶２から流出することが防止される。次に、真空瓶２はその中に収容される液体を周囲温度よりも高い温度に維持し得る。
【００５５】
入れ物３は初期的に真空瓶２と別個である。貯蔵容器４の底端７が入れ物３のベース２１内に挿入される。ベース２１は底端７を受け入れるように構成される。貯蔵容器４の底面９がベース壁２３の位置決め表面に対して位置するまで、貯蔵容器４はベース２０内に挿入される。これはベース２１を真空瓶２上に位置付け且つ位置決めるよう作用する。
【００５６】
ベース２２は、ベース側壁２４の内表面及び貯蔵容器４の外表面にあるネジ山の故に、真空瓶２の貯蔵容器４に取り付けられる。従って、ベース２１は、所望の位置において真空瓶２に固定的に取り付けられる。
【００５７】
次に、キャップ２１は真空瓶２の他端の上に受け入れられる。換言すれば、キャップ２１は貯蔵容器４の頂端６及び蓋５の上に受け入れられる。キャップ２１がベース２０と重なり合うよう、キャップ側壁３４は真空瓶２に沿って位置する。
【００５８】
キャップ２１の環３７は、ベース２０の上方縁２６の上に位置する。キャップ２１はベース２０に乗る（取り付く）。本構成を用いるならば、キャップ２１の螺旋ネジ山３９はベース２０の螺旋ネジ山３０と螺合する。キャップ２１がベース２０の肩部２９に当接するまで、キャップ２１はベース２０に向かって移動させられる。従って、肩部２９はエンドストッパとして作用する。この構成を用いるならば、キャップ２１の縁３８は肩部２９の当接表面２９に対して位置する。代替的に、環３７の段部がエンドストッパとして作用し得ることが理解されるであろう。
【００５９】
この段階で、キャップ２１はベース２０に取り付けられ、真空瓶２はそれらの間にある。従って、キャップ２１は、真空瓶収容室２２内に収容される真空瓶２の故に、真空瓶２に取り付けられる。貯蔵容器４の底面９は、ベース壁２３の位置決め表面に対して位置し、蓋５の上面１２はキャップ２１の付勢表面に対して或いはそれに近接して位置する。入れ物３が組み立てられるときのベース壁２３の位置決め表面とキャップ２１の付勢表面４０との間の距離は、貯蔵容器４の底面の平面と蓋５の上面１２の平面との間の真空瓶２の高さに対応する。
【００６０】
蓋５がその閉塞状態にあるとき、封止アクチュエータとして作用する封止押しボタン１５はその収縮位置（後退位置）にある。従って、蓋５がその閉塞状態にあるとき、キャップ２１はベース２０に取り付けられるので、蓋５の付勢表面４０は封止押しボタン１５に対して付勢されない。
【００６１】
真空瓶組立品を用いるために、キャップ２１がベース２０から降ろされ、真空瓶２から取り外される。次に、キャップ２１の上方壁３３がテーブルのような表面の上に位置付け可能であるよう、キャップ２１が反転させられる。次に、開封押しボタン１６が押圧されて蓋５をその開放状態に移動させる。次に、真空瓶２内の熱湯をキャップ２１内に注ぎ込み得る。次に、哺乳瓶キットの一部を形成する哺乳瓶（図示せず）が、哺乳瓶の内容物を所望の温度まで加熱する熱湯と共に、キャップ２１内に配置される。
【００６２】
哺乳瓶が所望の温度になるや否や、哺乳瓶はキャップ２１から取り外される。次に、キャップ２１内の水を廃棄し得る。これに続いて、キャップ２１を真空瓶２の上に再配置し得る。従って、キャップ２１は、上述のように、真空瓶２の上に受け入れられ、ベース２０に取り付けられる。
【００６３】
使用者が不注意に蓋５を閉め損なう事態において、即ち、使用者が封止押しボタン１５を押さないで蓋５をその閉塞状態に移動させる事態において、液体は依然として蓋を通じて流れることができ、キャップ２１が真空瓶２の上に受け入れられるとき、封止押しボタン１５はその伸展位置に留まる。しかしながら、キャップ２１がベース２０に取り付けられると、この構成では上方壁３３によって形成されるキャップ２１の付勢表面４０は、封止押しボタン１５の上方表面１７に当接する。従って、付勢表面４０は封止押しボタン１５に対して作用し、封止押しボタン１５をその収縮位置（後退位置）に移動させる。これは、キャップ２１が取り付けられるときに、蓋５が必然的にその開放状態からその閉塞状態に移動させられることを意味する。
【００６４】
容器２１が真空瓶２の上に組み立てられるとき、蓋５はその開放状態にあることが阻止される。従って、真空瓶組立品１は、真空瓶組立品１が組み立てられるときに液体が真空瓶から流出するのを防止する、本質的に安全な設計をもたらす。キャップ２１が引き続き取り外されるとき、蓋５は開封押しボタン１６が押圧されるまで閉塞状態に留まる。
【００６５】
上の実施態様において、ベース２０は真空瓶２に取り付け可能であるが、代替的な構成において、ベース２０は真空瓶２に取り付け可能でないことが理解されるであろう。
【００６６】
上記実施態様において、真空瓶組立品は、真空瓶を受け入れ且つ取り囲むように構成されるキャップとベースとを有する入れ物を含むが、代替的な構成が想起されることが理解されるであろう。代替的な構成において、真空瓶組立品は、キャップが真空瓶に直接的に取り付け可能である、真空瓶とキャップとを含み得る。そのような構成において、ベースは真空瓶の貯蔵容器と一体的に構成される。
【００６７】
上の実施態様において、ベース２０の上方端はキャップ２１の環内に受け入れられるが、代替的な構成が想起されることが理解されるであろう。例えば、代替的な構成において、環（図示せず）はベース２０に形成され、キャップの自由端は環によって受け入れられる。そのような構成において、ベース２０のネジ山付き部分は内表面に形成され、キャップ２１のネジ山付き部分は外表面に形成される。
【００６８】
上の実施態様において、ベース２０とキャップ２１との間の係合手段は２つの入れ物部分の間の螺合によって形成されるが、代替的な構成が想起されることが理解されるであろう。例えば、代替的な実施態様では、クリック係止(click-lock)構成が用いられ、１つ又はそれよりも多くの突起が他の入れ物部分に形成される凹部内に収容される入れ物部分のうちの１つの入れ物部分の表面から伸展する。代替的に、ベース２０及びキャップ２１を互いに対して取り付けるためにクラスプ（留め金）又はクリップを用い得る。
【００６９】
「含む」という用語は他の要素又はステップを排除しないこと並びに単数形は複数形を排除しないことが理解されるであろう。単一のプロセッサは請求項中に引用される幾つかの品目の機能を充足し得る。特定の手段が相互に異なる従属項において引用されているという単なる事実は、これらの手段の組合わせを有利に用い得ないことを示さない。請求項中に如何なる参照符号も請求項を限定するものと理解されてはならない。
【００７０】
この出願において請求項は機能の特定の組合わせに策定されているが、本発明の開示の範囲は、明示的であれ、暗示的であれ、或いはそれらの如何なる一般化であれ、それが任意の請求項において現時点で請求されるのと同じ発明に関係しようしまいが、それが本発明と同じ技術的課題の一部又は全部を軽減しようがしまいが、ここに開示する如何なる新規な機能又は新規な機能の如何なる組合わせをも含む。出願人は、本出願の或いは本出願に由来するあらゆる更なる出願の審査中に、そのような機能及び／又は機能の組み合わせに新たな請求項を策定し得ることを通知する。
【国際調査報告】
2015521516.tif 000012
2015521516.tif 000013